(57)【特許請求の範囲】
【請求項１】
光ディスクドライブと、不揮発性記憶領域と、上記光ディスクドライブと不揮発性記憶領域に対して記録および再生の制御を行なう記録再生制御回路とを具備する光ディスクドライブ装置であって、
上記記録再生制御回路は、ＤＶＤ＋Ｒの光ディスクに対するＶＲモードでの記録時に、
上記光ディスクドライブで上記光ディスクのＲＳＡＴの読み込みを行なっておき、
同光ディスクへの追加の書き込み時に新たなＲＳＡＴの書き込みを行う際、同ＲＳＡＴの書き込みエラーがあると検出されると、
所定のＩＤを設定し、
同ＩＤを光ディスク内のＬｅａｄ−ｉｎ内に同ＩＤを書き込むとともに、不揮発性記憶領域にて同ＩＤとＲＳＡＴとを記録し、
以後、同光ディスクに対する書き込みを行うときには、不揮発性記憶領域内のＲＳＡＴを更新し、
同光ディスクのファイナライズの際には、上記不揮発性記憶領域内の同ＩＤとＲＳＡＴを削除することを特徴とする光ディスクドライブ装置。
【請求項２】
上記不揮発性記憶領域は、ハードディスクドライブであることを特徴とする請求項１に記載の光ディスクドライブ装置。
【請求項３】
上記ＩＤは通し番号であることを特徴とする請求項１または請求項２に記載の光ディスクドライブ装置。
【請求項４】
上記記録再生制御回路は、
デジタルデータの伸長と圧縮を行ない、上記光ディスクドライブとハードディスクドライブとに対するデジタルデータの書き込み及び読み出しを行う伸長圧縮処理部と、
同伸長圧縮処理部への入力アナログ信号のデジタル化を行うＡ／Ｄ変換部と、
上記伸長圧縮処理部からの出力デジタル信号のアナログ化を行うＤ／Ａ変換部と、
上記伸長圧縮処理部でのデジタルデータの書き込み及び読み出しを制御する制御部を有することを特徴とする請求項１〜請求項３のいずれかに記載の光ディスクドライブ装置。
【請求項５】
光ディスクドライブと、
ハードディスクドライブと、
チューナと、
操作入力を受け付ける入力回路部と、
デジタルデータの伸長と圧縮を行ない、上記光ディスクドライブとハードディスクドライブとに対するデジタルデータの書き込み及び読み出しを行う伸長圧縮処理部と、
同伸長圧縮処理部への入力アナログ信号のデジタル化を行うＡ／Ｄ変換部と、
上記伸長圧縮処理部からの出力デジタル信号のアナログ化を行うＤ／Ａ変換部と、
上記チューナによる受信と、上記入力回路部での操作入力の受け付けと、上記伸長圧縮処理部でのデジタルデータの書き込み及び読み出しを制御する制御部とを具備する光ディスクドライブ装置であって、
上記制御部は、ＤＶＤ＋Ｒの光ディスクに対するＶＲモードでの記録時に、
上記光ディスクドライブで上記光ディスクのＲＳＡＴの読み込みを行なっておき、
同光ディスクへの追加の書き込み時に新たなＲＳＡＴの書き込みを行う際、同ＲＳＡＴの書き込みエラーがあると検出されると、
通し番号のＩＤを設定し、
同ＩＤを光ディスク内のＬｅａｄ−ｉｎ内に同ＩＤを書き込むとともに、上記ハードディスクドライブにて同ＩＤとＲＳＡＴとを記録し、
以後、同光ディスクに対する書き込みを行うときには、上記ハードディスクドライブ内のＲＳＡＴを更新し、
同光ディスクのファイナライズの際には、上記ハードディスクドライブ内の同ＩＤとＲＳＡＴを削除することを特徴とする光ディスクドライブ装置。
【発明の詳細な説明】
【技術分野】
【０００１】
本発明は、光学的手段による記録または再生を行なう光ディスクドライブ装置に関し、特に、ＤＶＤ＋Ｒの光ディスクに対するＶＲモードでの記録を行うことが可能な光ディスクドライブ装置に関する。
【背景技術】
【０００２】
ＤＶＲ＋Ｒ（＋ＶＲモード）において記録する場合、記録終了時にタイトル（Ｔｉｔｌｅ）情報を示すＲＳＡＴ（ＲｅｓｅｒｖｅｄＳｐａｃｅＡｌｌｏｃａｔｉｏｎＴａｂｌｅ）を記録する。
このＲＳＡＴの記録に失敗した場合、過去に記録された全てのタイトル情報が取得できず、全タイトル再生付加になる問題がある。理由は、過去に記録したＲＳＡＴの位置を検索する方法がないためである。従って、このＲＳＡＴの記録に失敗した場合、全域検索などで過去に記録されたＲＳＡＴを探し出さなければ記録済みのタイトル全てが失われてしまう。
【０００３】
ＲＳＡＴの記録に関して、以下に示すものが知られている。
特許文献１には、割付テーブルの記録が正常に行われない事態が生じたときにも、既に記録されていたデータの再生を可能にする技術が開示されている。
特に、図３〜図６、図９および段落００５８には「検出された最終記録位置に基づき、記録済み領域の後尾のデータがＲＳＡＴであるかどうかを調べる（ステップＳ３）。記録済み領域の後尾のデータがＲＳＡＴであるときには、全てのＲＳＡＴの記録位置を取得して、内部に記憶する」旨の記載がある。
【０００４】
特許文献２には、管理情報記録部分の記録品質が悪く、読み出しに失敗した場合でも、記録済みのビデオデータを有効として再生することができる光ディスク記録再生装置を提供する技術が開示されている。
特に、図６および段落００１０〜００１１には、「録画を３回行った時点で３タイトル分のデータ領域にて１フラグメントとして、このフラグメントをクローズ処理する。これにより、ディスク管理情報領域２内にこのフラグメントに対応したフラグメント（トラック）管理情報２−２を記録・・・Ｎ＝Ｎ−１のフラグメント管理情報を取得しフラグメントの最終セクタアドレスを特定したＲＳＡＴのアドレスを特定する」旨の記載がある。
【０００５】
特許文献３には、光ディスクへの情報の記録を安定して行うことを可能とする技術が開示されている。
特に、図４および段落００４９には「ＲＳＡＴは１ＥＣＣブロック（１６セクタ）中の３セクタで構成されている。規格によるとファイルシステムデータ及びＲＳＡＴは、新たにＶＴＳが記録されるたびに更新され、新たに記録されたＶＴＳの後に記録される」旨の記載がある。
【０００６】
特許文献４には、記録媒体に記録するデータを再生するのに使用するインデックス情報の再生エラーを防止する技術が開示されている。
特に、図８および
【０００７】
には「インデックス情報記録手段によって上記記録媒体の記録領域にデータのインデックス情報を記録した後、そのインデックス情報のコピーを上記専用領域確保手段によって確保された専用領域に記録するインデックス情報コピー記録手段を設けたデータ記録再生装置」旨の記載がある。
【先行技術文献】
【特許文献】
【０００８】
【特許文献１】特開２００７−２００４０６号公報
【特許文献２】特開２００７−１６４９５１号公報
【特許文献３】特開２００６−１７２５６５号公報
【特許文献４】特開２００６−１６４３９５号公報
【発明の概要】
【発明が解決しようとする課題】
【０００９】
本発明者は、ＲＳＡＴの記録に失敗した場合の対策として、ＲＳＡＴ記録失敗時に前回のＲＳＡＴが記録されているアドレスをＬｅａｄ−ｉｎ内に記録する方法を考案した。しかし、Ｌｅａｄ−ｉｎは限りある領域なので、保存できる回数に限界がある。アドレスを繰り返し書き込むことになれば、必要な情報をＬｅａｄ−ｉｎに書けなくなってしまう。
【００１０】
この他、上述した従来の技術では、ＲＳＡＴの記録に失敗した光ディスクをそのまま継続して使用していくということができなかった。
本発明は、ＲＳＡＴの記録に失敗した光ディスクを、過去に記録されたタイトルの損失を防止しつつ、そのまま継続して使用していくということが可能な光ディスクドライブ装置を提供する。
【課題を解決するための手段】
【００１１】
本発明は、光ディスクドライブと、不揮発性記憶領域と、上記光ディスクドライブと不揮発性記憶領域に対して記録および再生の制御を行なう記録再生制御回路とを具備する光ディスクドライブ装置であって、上記記録再生制御回路は、ＤＶＤ＋Ｒの光ディスクに対するＶＲモードでの記録時に、上記光ディスクドライブで上記光ディスクのＲＳＡＴの読み込みを行なっておき、同光ディスクへの追加の書き込み時に新たなＲＳＡＴの書き込みを行う際、同ＲＳＡＴの書き込みエラーがあると検出されると、所定のＩＤを設定し、同ＩＤを光ディスク内のＬｅａｄ−ｉｎ内に同ＩＤを書き込むとともに、不揮発性記憶領域にて同ＩＤとＲＳＡＴとを記録し、以後、同光ディスクに対する書き込みを行うときには、不揮発性記憶領域内のＲＳＡＴを更新し、同光ディスクのファイナライズの際には、上記不揮発性記憶領域内の同ＩＤとＲＳＡＴを削除する構成としてある。
【００１２】
上記構成において、ＤＶＤ＋Ｒの光ディスクに対するＶＲモードでの記録時に、予め、上記光ディスクドライブで上記光ディスクのＲＳＡＴの読み込みを行なっておく。そして、同光ディスクへの追加の書き込みを行なうときには、同時に新たなＲＳＡＴの書き込みを行うが、このときの書き込みエラーのチェックで同ＲＳＡＴの書き込みエラーがあるか否かを検出する。そして、書き込みエラーがあると検出されると、所定のＩＤを設定し、同ＩＤを光ディスク内のＬｅａｄ−ｉｎ内に書き込むとともに、不揮発性記憶領域にて同ＩＤとＲＳＡＴとを記録する。
【００１３】
以後、同光ディスクに対する書き込みを行うときには、不揮発性記憶領域内のＲＳＡＴを更新する。これにより、同光ディスクに対して追加の書き込み等は可能となる。一方、同光ディスクのファイナライズの際には、上記不揮発性記憶領域内の同ＩＤとＲＳＡＴを削除する。
ＲＳＡＴの情報を記録したレコーダーなどでファイナライズを行った場合、不揮発性記憶領域の情報は使用しなくなるため、割り振った番号を抹消し、領域の無駄遣いを回避する。
【００１４】
また、上記不揮発性記憶領域の一例としては、ハードディスクドライブで構成しても良い。ハードディスクドライブでであれば、不揮発性であり、繰り返し記録や削除も可能となる。
さらに、上記ＩＤの一例として、通し番号で構成しても良い。通し番号であれば、比較的、使用する領域も少なく、管理も簡易となる。
上記記録再生制御回路の具体的な構成として、デジタルデータの伸長と圧縮を行ない、上記光ディスクドライブとハードディスクドライブとに対するデジタルデータの書き込み及び読み出しを行う伸長圧縮処理部と、同伸長圧縮処理部への入力アナログ信号のデジタル化を行うＡ／Ｄ変換部と、上記伸長圧縮処理部からの出力デジタル信号のアナログ化を行うＤ／Ａ変換部と、上記記録再生処理部でのデジタルデータの書き込み及び読み出しを制御し、また、上記伸長圧縮処理部でのデジタルデータの伸長と圧縮を制御する制御部を有する構成としても良い。
【００１５】
この他、上記の統合として、光ディスクドライブと、ハードディスクドライブと、チューナと、操作入力を受け付ける入力回路部と、デジタルデータの伸長と圧縮を行ない、上記光ディスクドライブとハードディスクドライブとに対するデジタルデータの書き込み及び読み出しを行う伸長圧縮処理部と、同伸長圧縮処理部への入力アナログ信号のデジタル化を行うＡ／Ｄ変換部と、上記伸長圧縮処理部からの出力デジタル信号のアナログ化を行うＤ／Ａ変換部と、上記チューナによる受信と、上記入力回路部での操作入力の受け付けと、上記記録再生処理部でのデジタルデータの書き込み及び読み出しと、上記伸長圧縮処理部でのデジタルデータの伸長と圧縮を制御する制御部とを具備する光ディスクドライブ装置であって、上記制御部は、ＤＶＤ＋Ｒの光ディスクに対するＶＲモードでの記録時に、上記光ディスクドライブで上記光ディスクのＲＳＡＴの読み込みを行なっておき、同光ディスクへの追加の書き込み時に新たなＲＳＡＴの書き込みを行う際、同ＲＳＡＴの書き込みエラーがあると検出されると、通し番号のＩＤを設定し、同ＩＤを光ディスク内のＬｅａｄ−ｉｎ内に同ＩＤを書き込むとともに、上記ハードディスクドライブにて同ＩＤとＲＳＡＴとを記録し、以後、同光ディスクに対する書き込みを行うときには、上記ハードディスクドライブ内のＲＳＡＴを更新し、同光ディスクのファイナライズの際には、上記ハードディスクドライブ内の同ＩＤとＲＳＡＴを削除する構成としても良い。
【発明の効果】
【００１６】
本発明によれば、過去に記録されたタイトルの損失を防止するためにＲＳＡＴおよびこれに含まれる記録アドレスなどを不揮発性記憶領域に保持し、これを利用することで容易に再生可能状態にすることができるようになる。
【図面の簡単な説明】
【００１７】
【図１】本光ディスクドライブ装置の概略ブロック図である。
【図２】ＤＶＲ＋Ｒ（＋ＶＲモード）に記録する場合の、記憶領域と、記憶される情報を示す模式図である。
【図３】本発明の光ディスドライブ装置が実行するフローチャートである。
【発明を実施するための形態】
【００１８】
以下、図面にもとづいて本発明の実施形態を説明する。
図１は、本発明に係る光ディスクドライブ装置をブロック図により示している。
同図において、チューナ部１１は、ＣＰＵを有する制御部１２から指示されたチャンネルの商用放送を受信するとともに、受信して得られた入力アナログ信号であるアナログ映像信号（アナログ音声信号を含む）をＡ／Ｄ変換部１３に出力する。Ａ／Ｄ変換部１３は、チューナ部１１から出力されるアナログ映像信号をデジタル映像信号（デジタル音声信号を含む）にデジタル化の変換をし、伸長圧縮処理部１４に出力する。
【００１９】
Ｄ／Ａ変換部１５は、伸長圧縮処理部１４より出力される出力デジタル信号であるデジタル映像信号（デジタル音声信号を含む）をアナログ映像信号（アナログ音声信号を含む）にアナログ化の変換をし、外部に設けられたテレビ受像機１９に出力する。
光ピックアップ１６ａは、スピンドルモータ１６ｂによって回転駆動される光ディスク（例えば、ＤＶＤ＋Ｒ等）の読み取りを行い、読み取りによって得られた信号を光ピックアップ処理部１６ｃに出力する。また、光ピックアップ処理部１６ｃより出力される信号を光ディスクに記録する。
【００２０】
光ピックアップ処理部１６ｃは、スピンドルモータ１６ｂや光ピックアップ１６ａとともに、光ディスクドライブ部を形成する。このため、光ピックアップ処理部１６ｃは、データの再生時には、光ピックアップ１６ａより出力される信号からＲＦ信号を生成する。次いで、生成したＲＦ信号からデジタルデータを復調した後、復号化を行って得られた信号を伸長圧縮処理部１４に出力する。また、データの記録時には、伸長圧縮処理部１４より出力されるデジタル信号を符号化した後、符号化した信号を用いて光ピックアップ１６ａを駆動する。すなわち、伸長圧縮処理部１４はデジタルデータの伸長と圧縮を行ない、光ピックアップ処理部１６ｃを介して光ディスクドライブ部に対するデジタルデータの書き込み及び読み出しを行う。
【００２１】
また、伸長圧縮処理部１４はハードディスクドライブ（ＨＤＤ）１７に対するデジタル映像信号の記録及び再生も制御する。なお、ＨＤＤ１７は不揮発性記憶領域として使用しており、映像信号や音声信号の記録及び再生の他、各種設定情報の保存も可能であるし、本実施例では後述するＲＳＡＴやＩＤの記録も可能となっている。
伸長圧縮処理部１４は、エンコード部１４ａを用いることによって、Ａ／Ｄ変換部１３から出力された映像信号をＭＰＥＧ２（音声信号についてはＡＣ３等）に従って圧縮処理する。そして、圧縮処理した映像信号を光ピックアップ処理部１６ｃやＨＤＤ１７に出力する。また、デコード部１４ｂを用いることにより、光ピックアップ処理部１６ｃやＨＤＤ１７より出力される映像信号を、ＭＰＥＧ２（音声信号についてはＡＣ３等）に従って伸長処理する。そして、伸長処理により得られたデジタル映像信号をＤ／Ａ変換部１５に出力する。
【００２２】
入力回路部１８は、図示されない装置本体の前面パネルに設けられた電源キー等のキースイッチや、リモートコントローラ（以下では、リモコンと称する）１８ａから送信される赤外線信号を受光する受光ユニット等を備えており、ユーザからの指示が入力されると、入力された指示（操作入力）を受け付けて制御部１２に出力する。
制御部１２は、光ディスクドライブ装置としての主要動作を制御する。すなわち、リモコン１８ａ等に入力されたユーザの指示に従い、チューナ部１１部が受信するチャンネルを制御する。また、光ピックアップ処理部１６ｃとＨＤＤ１７と伸長圧縮処理部１４とを制御することによって、チューナ部１１部が受信した番組を光ディスクやＨＤＤ１７に記録する。また、光ディスクやＨＤＤ１７に記録された番組を再生して、テレビ受像機１９に表示する。また、制御部１２は、その機能の一部によって、ＩＤ付与や、ＲＳＡＴの記憶及び読み出しなども実行可能である。
なお、伸長圧縮処理部１４と、Ａ／Ｄ変換部１３と、Ｄ／Ａ変換部１５と、制御部１２とが、記録再生制御回路に相当する。
【００２３】
ＤＶＲ＋Ｒ（＋ＶＲモード）において記録する場合、記録終了時にタイトル（Ｔｉｔｌｅ）情報を示すＲＳＡＴ（ＲｅｓｅｒｖｅｄＳｐａｃｅＡｌｌｏｃａｔｉｏｎＴａｂｌｅ）を記録する。
図２は、ＤＶＲ＋Ｒ（＋ＶＲモード）において記録する場合の、記憶領域と、記憶される情報を模式的に示している。図中の上段には、タイトル１の記録後に、タイトル２を記録している状況を示しており、中段には、タイトル２のコンテンツなどを記録した後、最後に制御情報であるＲＳＡＴなどの書き込みが失敗した状況を示しており、下段には、書き込めなかったＲＳＡＴをＨＤＤに記録する状況を示している。
【００２４】
図３は、本発明の光ディスドライブ装置が実行するフローチャートを示している。このフローチャートを参照しつつ、図２に示すＤＶＤ＋Ｒの光ディスクにおけるＶＲモードでの記録の手法について説明する。
ステップ１１では、光ディスクのＲＳＡＴの読み込みを行なう。これは、追加の書き込みを行なうにあたり、それまでの記憶内容を知るためである。ステップ１２では、光ディスクへの追加の書き込みを行なう。図２では、上段の図に示すように、ステップ１１においてタイトル１の後尾に書き込まれているＲＳＡＴを読み込んだ上で、ステップ１２においてタイトル２を記録することに相当する。
【００２５】
ステップ１３では、Ｌｅａｄ−ｉｎ内にＩＤが記録されているか判断する。後述するように、ＲＳＡＴの書き込みに失敗した光ディスクであればＩＤが付与されているが、過去に失敗したことがない光ディスクであればＩＤは付与されていない。通常であれば、ＩＤは付与されておらず、ＮＯと判断されてステップ１４にてタイトル２の後尾にＲＳＡＴを書き込む。
【００２６】
ＲＳＡＴの書き込み後は、正常にＲＳＡＴが書き込まれているか否かを判断する。そして、ステップ１５にてＲＳＡＴの書き込みエラーがあると検出されると、ステップ１６〜１８にてその対策を行う。
まず、ステップ１６では、通し番号のＩＤを設定する。すなわち、ＲＳＡＴの書き込みに失敗した光ディスク毎に通し番号のＩＤを付与する。通し番号でなければならないわけではないが、通し番号としておくことで管理は容易である。
【００２７】
現在、書き込み中の光ディスクに対するＩＤを設定したら、ステップ１７では、光ディスクのＬｅａｄ−ｉｎ内にＩＤを書き込む。また、ステップ１８では、書き込みに失敗したＲＳＡＴを光ディスクではなくＨＤＤ１７に記録するため、設定したＩＤとＲＳＡＴとを対応づけて、ハードディスクドライブ（１７）にてＩＤとＲＳＡＴとを記録する。これにより、Ｌｅａｄ−ｉｎ内にＩＤを書き込まれた光ディスクは、ＨＤＤ１７に記録されたＩＤによってＲＳＡＴと対応づけられるので、同光ディスクに対して書き込まれているタイトルの情報を以降も読み取ることができるようになる。
【００２８】
また、この方法であれば、光ディスクにはＩＤを一度書き込むだけであり、Ｌｅａｄ−ｉｎ内に繰り返し書き込んでいくわけではない。従って、限りある領域であっても浪費しない。そして、ＲＳＡＴの書き込みが複数回失敗したとしても、Ｌｅａｄ−ｉｎ内の領域は減らない。
通常、ＲＳＡＴは、タイトルを追加書き込みするたびに書き込まれるので、書き込む毎にその書き込みアドレスが変わっていく。従って、新たに追加されているＲＳＡＴに一つのＩＤを付与するという考え方はなじまない。これに対して、本発明は、一つのＩＤで管理することにより、今までとは全く異なった思想に基づいている上、限りあるＬｅａｄ−ｉｎ領域を有効に利用できるという効果を奏する。
【００２９】
一方、以上のようにしてＲＳＡＴの書き込みに失敗している場合は、ステップ１３にてＬｅａｄ−ｉｎ内にＩＤありと判断されるはずであり、ステップ１９でも同光ディスクに対する書き込み（Ｌｅａｄ−ｉｎ内にＩＤあり）か否かの判断を経て、ステップ２０にてハードディスクドライブ（１７）内のＲＳＡＴを更新する。すなわち、この例では次のタイトルの更新後、ＲＳＡＴはＨＤＤ１７に対して行うこととしている。むろん、このようにすれば、光ディスクに対する書き込み時間が減るし、書き込みに不安要素の残る光ディスクに重要なＲＳＡＴを書き込まなくなるので、信頼性が高まる。
【００３０】
ところで、このような光ディスクに対して、タイトルを追加していき、最後にはファイナライズすべきタイミングが訪れる。ファイナライズすれば、タイトルの後尾に追加書き込みされるＲＳＡＴの内容が光ディスク内の先頭近くの予約エリアに書き込まれる。すると、以降はＨＤＤ１７内に書き込んでおいたＲＳＡＴが不要となる。
このため、ステップ２１では、同光ディスクのファイナライズであるか否かを判断し、ＹＥＳと判断されたら、ステップ２２でハードディスクドライブ（１７）内の同ＩＤとＲＳＡＴを削除する。
【００３１】
このように、光ディスクには光ディスクドライブ装置が振り分けたＩＤ（ナンバー）のみを記録し、外部記録装置であるＨＤＤ１７にＩＤ（ナンバー）毎に領域を用意してＬｅａｄ−ｉｎ内に記録することになる情報を格納する。外部記録装置に常に新しい情報のみを記録することで、光ディスクにおけるＬｅａｄ−ｉｎ内の領域サイズ減少による限界は回避することが可能となった。
【００３２】
また、ＲＳＡＴの情報を記録した光ディスクドライブ装置でファイナライズを行った場合、外部記録装置であるＨＤＤ１７の情報は使用しなくなるため、割り振った番号を抹消し、領域の無駄遣いを回避している。
【００３３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３４】
１１…チューナ部、１２…制御部、１３…Ａ／Ｄ変換部、１４…伸長圧縮処理部、１４ａ…エンコード部、１４ｂ…デコード部、１５…Ｄ／Ａ変換部、１６ａ…光ピックアップ、１６ｂ…スピンドルモータ、１６ｃ…光ピックアップ処理部、１７…ハードディスクドライブ（ＨＤＤ）、１８…入力回路部、１８ａ…リモコン、１９…テレビ受像機。
【図１】
0005434611.tif 000002
【図２】
0005434611.tif 000003
【図３】
0005434611.tif 000004